(57)【特許請求の範囲】
【請求項１】
基地局（ＢＳ）によるワイヤレス通信のための方法であって、
第２のタイプの物理ブロードキャストチャネル（ＰＢＣＨ）に対して拡張されたカバレージを有する第１のタイプのＰＢＣＨ上で、前記ＢＳによって、ユーザ機器（ＵＥ）に送信することと、ここにおいて、前記第１のタイプのＰＢＣＨ上で送信することは、サブフレーム内でＰＢＣＨと少なくとも１つの反復されたＰＢＣＨとを送信することを備え、前記第１のタイプのＰＢＣＨは、８０ｍｓよりも大きい送信時間インターバル周期性を有する、
前記サブフレームにおいて前記ＵＥに前記第２のタイプのＰＢＣＨ上で送信することと、ここにおいて、前記第２のタイプのＰＢＣＨは、前記サブフレーム中の他のダウンリンク信号のためのパワースペクトル密度（ＰＳＤ）に比べてより高いＰＳＤで送信される、
前記第１のタイプのＰＢＣＨが送信されない第２のサブフレーム中の前記他のダウンリンク送信信号のためのＰＳＤよりも高くないＰＳＤで前記第２のタイプのＰＢＣＨ上で送信することと
を備える、方法。
【請求項２】
前記第１のタイプのＰＢＣＨは、ＭＴＣデバイスと通信するために割り振られたサブフレームで送信される、請求項１に記載の方法。
【請求項３】
前記第１のタイプのＰＢＣＨは、各無線フレーム中のサブフレーム０の１１個のシンボルでのみ送信される、請求項１に記載の方法。
【請求項４】
前記第１のタイプのＰＢＣＨは、サブフレーム０およびサブフレーム５で送信され、１次同期信号（ＰＳＳ）、２次同期信号（ＳＳＳ）、および前記第２のタイプのＰＢＣＨの周りでレートマッチングされる、請求項１に記載の方法。
【請求項５】
前記第１のタイプのＰＢＣＨは、１次同期信号（ＰＳＳ）、２次同期信号（ＳＳＳ）、および前記第２のタイプのＰＢＣＨによってパンクチャされる、請求項１に記載の方法。
【請求項６】
前記第１のタイプのＰＢＣＨは、中央の６リソースブロック（ＲＳ）とは異なる周波数ロケーションで送信される、請求項１に記載の方法。
【請求項７】
前記サブフレーム中の他のダウンリンク送信信号に比べてより高いＰＳＤで前記サブフレームで、１次同期信号（ＰＳＳ）、２次同期信号（ＳＳＳ）、またはシステム情報ブロック（ＳＩＢ）のうちの少なくとも１つを送信すること
をさらに備える、請求項１に記載の方法。
【請求項８】
拡張された物理ダウンリンク制御チャネル（ＥＰＤＣＣＨ）が、前記第１のタイプのＰＢＣＨに割り振られたリソースと衝突するかどうかを決定すること
をさらに備える、請求項１に記載の方法。
【請求項９】
ＥＰＤＣＣＨが前記第１のタイプのＰＢＣＨと衝突する場合、前記第１のタイプのＰＢＣＨの少なくとも一部のリソース要素（ＲＥ）はパンクチャされ、前記第１のタイプのＰＢＣＨはＥＰＤＣＣＨの周りでレートマッチングされ、またはＥＰＤＣＣＨは共通サーチスペース（ＣＳＳ）リソースロケーションの第１のセットおよびＵＥ固有サーチスペース（ＵＳＳ）リソースロケーションの第１のセットのうちの少なくとも１つを使用し、
ＥＰＤＣＣＨが前記第１のタイプのＰＢＣＨと衝突しない場合、ＥＰＤＣＣＨはＣＳＳリソースロケーションの第２のセットおよびＵＳＳリソースロケーションの第２のセットのうちの少なくとも１つを使用する、
請求項８に記載の方法。
【請求項１０】
ＣＳＳリソースロケーションの前記第１のセットは、ＣＳＳリソースロケーションの前記第２のセットのパンクチャされたバージョンを備える、請求項９に記載の方法。
【請求項１１】
前記第１のタイプのＰＢＣＨは、前記サブフレーム中の前記他のダウンリンク送信信号のためのＰＳＤに比べてより高いＰＳＤで、前記サブフレームにおいて送信される、請求項１に記載の方法。
【請求項１２】
前記第１のタイプのＰＢＣＨは、前記サブフレーム中の前記第２のタイプのＰＢＣＨの密度に比べて前記サブフレーム中においてより高い密度を有し、前記密度は、前記第１のタイプのＰＢＣＨまたは前記第２のタイプのＰＢＣＨに使用される前記サブフレーム中のリソースの量に対応する、請求項１に記載の方法。
【請求項１３】
前記第１のタイプのＰＢＣＨの前記より高い密度は、前記第２のタイプのＰＢＣＨのためのサブフレーム内の送信時間に比べて前記第１のタイプのＰＢＣＨのためのサブフレーム内のより長い送信時間のうちの少なくとも１つの結果である、請求項１２に記載の方法。
【請求項１４】
前記第１のタイプのＰＢＣＨは、狭帯域ＰＢＣＨを備え、前記狭帯域ＰＢＣＨのための帯域幅は、１リソースブロック（ＲＳ）である、請求項１に記載の方法。
【請求項１５】
前記第２のタイプのＰＢＣＨは、反復されたＰＢＣＨを備える、請求項１に記載の方法。
【請求項１６】
前記狭帯域ＰＢＣＨのための前記帯域幅は、連続した周波数ロケーションにある、請求項１４に記載の方法。
【請求項１７】
前記狭帯域ＰＢＣＨのための前記帯域幅は、周波数ホッピングされる、請求項１４に記載の方法。
【請求項１８】
前記第１のタイプのＰＢＣＨの長さは、第１のキャリアタイプと第２のキャリアタイプとでは異なる、請求項１に記載の方法。
【請求項１９】
前記第１のキャリアタイプでは、前記第１のタイプのＰＢＣＨはシンボル４〜１４で送信され、前記サブフレーム中のセル固有の基準信号（ＣＲＳ）の周りでレートマッチングされ、
前記第２のキャリアタイプでは、前記第１のタイプのＰＢＣＨはサブフレーム全体で送信され、５サブフレームごとにＣＲＳの周りでレートマッチングされる、
請求項１８に記載の方法。
【請求項２０】
前記第１のタイプのＰＢＣＨは、第１のキャリアタイプおよび第２のキャリアタイプに対して同じである、請求項１に記載の方法。
【請求項２１】
前記第１のタイプのＰＢＣＨは、前記サブフレーム全体で送信され、１次同期信号（ＰＳＳ）、２次同期信号（ＳＳＳ）、前記第２のタイプのＰＢＣＨ、セル固有の基準信号（ＣＲＳ）、チャネル状態情報基準信号（ＣＳＩ−ＲＳ）、または測位基準信号（ＰＲＳ）のうちの少なくとも１つによってパンクチャされる、請求項１に記載の方法。
【請求項２２】
前記第１のタイプのＰＢＣＨは、前記サブフレームのシンボル５〜１４で送信され、前記サブフレーム中のセル固有の基準信号（ＣＲＳ）の周りでレートマッチングされる、請求項１に記載の方法。
【請求項２３】
前記第１のタイプのＰＢＣＨは、前記サブフレームのシンボル４〜１４でのみ送信される、請求項１に記載の方法。
【請求項２４】
前記第２のタイプのＰＢＣＨおよび前記第１のタイプのＰＢＣＨは、同じペイロードコンテンツを有する、請求項１５に記載の方法。
【請求項２５】
前記第１のタイプのＰＢＣＨは、前記第２のタイプのＰＢＣＨ、１次同期信号（ＰＳＳ）、２次同期信号（ＳＳＳ）、または制御チャネルによって占有されない前記サブフレーム中の各シンボルで送信される、請求項１５に記載の方法。
【請求項２６】
前記第２のタイプのＰＢＣＨおよび前記第１のタイプのＰＢＣＨは、異なるペイロードコンテンツを有する、請求項１５に記載の方法。
【請求項２７】
前記第１のタイプのＰＢＣＨは、ロングタームエボリューション（ＬＴＥ）ワイヤレス規格のリリース１１またはそれ以降にしたがって動作し、
前記第２のタイプのＰＢＣＨは、ＬＴＥワイヤレス規格のリリース１０またはそれ以前にしたがって動作する、
請求項１に記載の方法。
【請求項２８】
前記第１のキャリアタイプは、ロングタームエボリューション（ＬＴＥ）ワイヤレス規格のリリース１１またはそれ以前にしたがって動作し、
前記第２のキャリアタイプは、ＬＴＥワイヤレス規格のリリース１２またはそれ以降にしたがって動作する、
請求項１８に記載の方法。
【請求項２９】
基地局（ＢＳ）によるワイヤレス通信のための装置であって、
第２のタイプの物理ブロードキャストチャネル（ＰＢＣＨ）に対して拡張されたカバレージを有する第１のタイプのＰＢＣＨ上で、前記ＢＳによって、ユーザ機器（ＵＥ）に送信するための手段と、ここにおいて、前記第１のタイプのＰＢＣＨ上で送信することは、サブフレーム内でＰＢＣＨと少なくとも１つの反復されたＰＢＣＨとを送信することを備え、前記第１のタイプのＰＢＣＨは、８０ｍｓよりも大きい送信時間インターバル周期性を有する、
前記サブフレームにおいて前記ＵＥに前記第２のタイプのＰＢＣＨ上で送信するための手段と、ここにおいて、前記第２のタイプのＰＢＣＨは、前記サブフレーム中の他のダウンリンク信号のためのパワースペクトル密度（ＰＳＤ）に比べてより高いＰＳＤで送信される、
前記第１のタイプのＰＢＣＨが送信されない第２のサブフレーム中の前記他のダウンリンク送信信号のためのＰＳＤよりも高くないＰＳＤで前記第２のタイプのＰＢＣＨ上で送信するための手段と
を備える、装置。
【請求項３０】
基地局（ＢＳ）によるワイヤレス通信のための装置であって、
第２のタイプの物理ブロードキャストチャネル（ＰＢＣＨ）に対して拡張されたカバレージを有する第１のタイプのＰＢＣＨ上で、前記ＢＳによって、ユーザ機器（ＵＥ）に送信することと、ここにおいて、前記第１のタイプのＰＢＣＨ上で送信することは、サブフレーム内でＰＢＣＨと少なくとも１つの反復されたＰＢＣＨとを送信することを備え、前記第１のタイプのＰＢＣＨは、８０ｍｓよりも大きい送信時間インターバル周期性を有する、
前記サブフレームにおいて前記ＵＥに前記第２のタイプのＰＢＣＨ上で送信することと、ここにおいて、前記第２のタイプのＰＢＣＨは、前記サブフレーム中の他のダウンリンク信号のためのパワースペクトル密度（ＰＳＤ）に比べてより高いＰＳＤで送信される、
前記第１のタイプのＰＢＣＨが送信されない第２のサブフレーム中の前記他のダウンリンク送信信号のためのＰＳＤよりも高くないＰＳＤで前記第２のタイプのＰＢＣＨ上で送信することと
を行うように構成された送信機
を備える、装置。
【請求項３１】
基地局（ＢＳ）によるワイヤレス通信のための命令を記憶する非一時的なコンピュータ可読媒体であって、前記命令は、
第２のタイプの物理ブロードキャストチャネル（ＰＢＣＨ）に対して拡張されたカバレージを有する第１のタイプのＰＢＣＨ上で、前記ＢＳによって、ユーザ機器（ＵＥ）に送信することと、ここにおいて、前記第１のタイプのＰＢＣＨ上で送信することは、サブフレーム内でＰＢＣＨと少なくとも１つの反復されたＰＢＣＨとを送信することを備え、前記第１のタイプのＰＢＣＨは、８０ｍｓよりも大きい送信時間インターバル周期性を有する、
前記サブフレームにおいて前記ＵＥに前記第２のタイプのＰＢＣＨ上で送信することと、ここにおいて、前記第２のタイプのＰＢＣＨは、前記サブフレーム中の他のダウンリンク信号のためのパワースペクトル密度（ＰＳＤ）に比べてより高いＰＳＤで送信される、
前記第１のタイプのＰＢＣＨが送信されない第２のサブフレーム中の前記他のダウンリンク送信信号のためのＰＳＤよりも高くないＰＳＤで前記第２のタイプのＰＢＣＨ上で送信することと
を行うために、１つまたは複数のプロセッサによって実行可能である、
非一時的なコンピュータ可読媒体。
【発明の詳細な説明】
【技術分野】
【０００１】
米国特許法第１１９条に基づく優先権の主張
[0001]本出願は、その全体が参照により本明細書に組み込まれる、２０１３年４月５日に出願された米国仮特許出願第６１／８０９，２３２号の利益を主張する。
【背景技術】
【０００２】
[0002]本開示のいくつかの態様は、概して、ワイヤレス通信に関し、より詳細には、マシンタイプ通信（ＭＴＣ：machine type communications）のための物理ブロードキャストチャネル（ＰＢＣＨ：physical broadcast channel）カバレージ拡張（coverage enhancements）のための技法に関する。
【０００３】
[0003]ワイヤレス通信システムは、音声、データなどの、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、ＬＴＥアドバンストシステムを含む第３世代パートナーシッププロジェクト（３ＧＰＰ：3rd Generation Partnership Project）ロングタームエボリューション（ＬＴＥ：Long Term Evolution）および直交周波数分割多元接続（ＯＦＤＭＡ）システムがある。
【０００４】
[0004]概して、ワイヤレス多元接続通信システムは、複数のワイヤレス端末のための通信を同時にサポートすることができる。各端末は、順方向リンクおよび逆方向リンク上での送信を介して１つまたは複数の基地局と通信する。順方向リンク（またはダウンリンク）は、基地局から端末への通信リンクを指し、逆方向リンク（またはアップリンク）は、端末から基地局への通信リンクを指す。この通信リンクは、単一入力単一出力、複数入力単一出力または複数入力複数出力（ＭＩＭＯ）システムを介して確立され得る。
【０００５】
[0005]ワイヤレスデバイスは、ユーザ機器（ＵＥ）を含み得る。ＵＥのいくつかの例としては、セルラーフォン、スマートフォン、携帯情報端末（ＰＤＡ）、ワイヤレスモデム、ハンドヘルドデバイス、ラップトップコンピュータ、ネットブックなどがある。いくつかのＵＥは、センサー、メーター、ロケーションタグなどのリモートデバイスを含むことがあるマシンタイプ通信（ＭＴＣ）ＵＥと考えられ得る。リモートデバイスは、基地局、別のリモートデバイス、またはいくつかの他のエンティティと通信し得る。マシンタイプ通信（ＭＴＣ）は、通信の少なくとも１つの端部に少なくとも１つのリモートデバイスを伴う通信を指すことができる。
【発明の概要】
【０００６】
[0006]物理ブロードキャストチャネル（ＰＢＣＨ）カバレージ拡張のための技法および装置が、本明細書において提供される。いくつかの態様では、本技法は、マシンタイプ通信（ＭＴＣ）に適用可能であり得る。いくつかの態様では、本技法は、非ＭＴＣデバイスに適用可能であり得る。
【０００７】
[0007]本開示のいくつかの態様は、たとえば、基地局（ＢＳ）によって行われ得るワイヤレス通信のための方法を提供する。本方法は、一般に、レガシーＰＢＣＨに対して拡張されたカバレージを有する新しいＰＢＣＨのためのリソースのセットを決定することと、新しいＰＢＣＨのための決定されたリソースのセットに基づいて少なくとも１つのユーザ機器（ＵＥ）に通信することとを含む。
【０００８】
[0008]本開示のいくつかの態様は、たとえば、ＵＥによって行われ得るワイヤレス通信のための方法を提供する。本方法は、一般に、レガシーＰＢＣＨに対して拡張されたカバレージを有する新しいＰＢＣＨのためのリソースのセットを決定することと、新しいＰＢＣＨのための決定されたリソースのセットに基づいてＢＳからの新しいＰＢＣＨを処理することとを含む。
【０００９】
[0009]本開示のいくつかの態様は、ワイヤレス通信のための装置を提供する。本装置は、一般に、レガシーＰＢＣＨに対して拡張されたカバレージを有する新しいＰＢＣＨのためのリソースのセットを決定するための手段と、新しいＰＢＣＨのための決定されたリソースのセットに基づいて少なくとも１つのＵＥに通信するための手段とを含む。
【００１０】
[0010]本開示のいくつかの態様は、ワイヤレス通信のための装置を提供する。本方法は、一般に、レガシーＰＢＣＨに対して拡張されたカバレージを有する新しいＰＢＣＨのためのリソースのセットを決定するための手段と、新しいＰＢＣＨのための決定されたリソースのセットに基づいてＢＳからの新しいＰＢＣＨを処理するための手段とを含む。
【００１１】
[0011]本開示のいくつかの態様は、ワイヤレス通信のための装置を提供する。本装置は、一般に、レガシーＰＢＣＨに対して拡張されたカバレージを有する新しいＰＢＣＨのためのリソースのセットを決定し、新しいＰＢＣＨのための決定されたリソースのセットに基づいて少なくとも１つのＵＥに通信するように構成された少なくとも１つのプロセッサを含む。本装置はまた、少なくとも１つのプロセッサと結合されたメモリを含む。
【００１２】
[0012]本開示のいくつかの態様は、ワイヤレス通信のための装置を提供する。本装置は、一般に、レガシーＰＢＣＨに対して拡張されたカバレージを有する新しいＰＢＣＨのためのリソースのセットを決定し、新しいＰＢＣＨのための決定されたリソースのセットに基づいてＢＳからの新しいＰＢＣＨを処理するように構成された少なくとも１つのプロセッサを含む。本装置はまた、少なくとも１つのプロセッサと結合されたメモリを含む。
【００１３】
[0013]本開示のいくつかの態様は、ワイヤレス通信のためのコンピュータプログラム製品を提供する。本コンピュータプログラム製品は、一般に、レガシーＰＢＣＨに対して拡張されたカバレージを有する新しいＰＢＣＨのためのリソースのセットを決定し、新しいＰＢＣＨのための決定されたリソースのセットに基づいて少なくとも１つのＵＥに通信するための、１つまたは複数のプロセッサによって実行可能な命令を記憶されたコンピュータ可読媒体を含む。
【００１４】
[0014]本開示のいくつかの態様は、ワイヤレス通信のためのコンピュータプログラム製品を提供する。本コンピュータプログラム製品は、一般に、レガシーＰＢＣＨに対して拡張されたカバレージを有する新しいＰＢＣＨのためのリソースのセットを決定し、新しいＰＢＣＨのための決定されたリソースのセットに基づいてＢＳからの新しいＰＢＣＨを処理するための、１つまたは複数のプロセッサによって実行可能な命令を記憶されたコンピュータ可読媒体を含む。
【００１５】
[0015]方法、装置、システム、コンピュータプログラム製品、および処理システムを含む多数の他の態様が提供される。
【００１６】
[0016]本開示の上記列挙した特徴が詳細に理解できるように、その一部が添付の図面に示されているいくつかの態様への参照によって、上記で簡潔にまとめられた、より詳細な説明が行われ得る。しかしながら、添付の図面は、本開示のいくつかの典型的態様のみを示しており、したがってその範囲を限定するものとみなされるべきではなく、説明は他の等しく効果的な態様を含み得ることに注意されたい。
【図面の簡単な説明】
【００１７】
【図１】[0017]本開示のいくつかの態様による、例示的なワイヤレス通信ネットワークを概念的に示すブロック図。
【図２】[0018]本開示のいくつかの態様による、ワイヤレス通信ネットワークにおいてユーザ機器（ＵＥ）と通信している発展型ノードＢ（ｅＮＢ）の一例を概念的に示すブロック図。
【図３】[0019]本開示のいくつかの態様による、ワイヤレス通信ネットワークにおいて使用する特定の無線アクセス技術（ＲＡＴ）の例示的なフレーム構造を概念的に示すブロック図。
【図４】[0020]本開示のいくつかの態様による、ノーマルサイクリックプレフィックス（a normal cyclic prefix）を有するダウンリンクのための例示的なサブフレームフォーマットを示す図。
【図５】[0021]例示的なＰＢＣＨフォーマットを示す図。
【図６】[0022]本開示のいくつかの態様による、ＭＴＣサブフレーム上のＰＢＣＨおよびＭＴＣ＿ＰＢＣＨの例示的な時分割多重を示す図。
【図７Ａ】[0023]本開示のいくつかの態様による、レガシーキャリアタイプ（ＬＣＴ：legacy carrier type）を有するＭＴＣ＿ＰＢＣＨの例示的な周波数分割多重構造を示す図。
【図７Ｂ】[0024]本開示のいくつかの態様による、ニューキャリアタイプ（ＮＣＴ：new carrier type）を有するＭＴＣ＿ＰＢＣＨの例示的な周波数分割多重構造を示す図。
【図８】[0025]本開示のいくつかの態様による、ＰＢＣＨおよび電力を増大したＭＴＣ＿ＰＢＣＨ（MTC_PBCH with power boosting）の例示的な時分割多重を示す図。
【図９】[0026]本開示のいくつかの態様による、反復されたＰＢＣＨ（repeated PBCH）を有する例示的なサブフレーム構造を示す図。
【図１０】[0027]本開示のいくつかの態様による、たとえばｅＮＢによって行われ得るワイヤレス通信のための例示的な動作を示す図。
【図１１】[0028]本開示のいくつかの態様による、たとえばＵＥによって行われ得るワイヤレス通信のための例示的な動作を示す図。
【発明を実施するための形態】
【００１８】
[0029]本開示の諸態様は、いくつかのユーザ機器（たとえば、低コスト、低データレートＵＥ）のために物理ブロードキャストチャネル（ＰＢＣＨ）カバレージを拡張する（enhancing）ための技術および装置を提供する。
【００１９】
[0030]いくつかのシステムについては、いくつかのタイプのＵＥは、他のタイプのＵＥに対して限られたカバレージを有することがある。たとえば、いくつかのタイプの低コストＵＥでは、単一の受信チェーンしかなく、それによりダウンリンク（ＤＬ）カバレージを制限することがあるが、他のタイプのＵＥは、複数の受信チェーンから恩恵を受ける。さらに、ダウンリンク上の送信電力が制限されることがある、および／またはこれらのタイプのＵＥと通信するために比較的狭い帯域幅が使用され、周波数ダイバーシティ利得を減少させることがある。しかしながら、本明細書において提示される技法は、そのようなＵＥに対してカバレージを拡張するのに役立ち得る。
【００２０】
[0031]本明細書において説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなどの、様々なワイヤレス通信ネットワークに使用され得る。「ネットワーク」および「システム」という用語は、しばしば互換的に使用される。ＣＤＭＡネットワークは、ユニバーサル地上無線アクセス（ＵＴＲＡ：Universal Terrestrial Radio Access）、ｃｄｍａ２０００などの無線技術を実装し得る。ＵＴＲＡとしては、広帯域ＣＤＭＡ（Ｗ−ＣＤＭＡ（登録商標））、時分割同期ＣＤＭＡ（ＴＤ−ＳＣＤＭＡ）、およびＣＤＭＡの他の変形態がある。ｃｄｍａ２０００は、ＩＳ−２０００規格と、ＩＳ−９５規格と、ＩＳ−８５６規格とをカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。周波数分割複信（ＦＤＤ）と時分割複信（ＴＤＤ）の両方における３ＧＰＰロングタームエボリューション（ＬＴＥ）およびＬＴＥアドバンスト（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２）と称する団体からの文書に記載されている。本明細書において説明される技法は、上述のワイヤレスネットワークおよび無線技術、ならびに他のワイヤレスネットワークおよび無線技術に使用され得る。明快のために、本技法のいくつかの態様について以下ではＬＴＥ／ＬＴＥ−Ａに関して説明し、以下の説明の大部分でＬＴＥ／ＬＴＥ−Ａの用語を使用する。
【００２１】
例示的なワイヤレス通信システム
[0032]図１は、ＬＴＥネットワークまたはいくつかの他のワイヤレスネットワークであり得るワイヤレス通信ネットワーク１００を示す。ワイヤレスネットワーク１００は、いくつかの発展型ノードＢ（ｅＮＢ）１１０と、他のネットワークエンティティとを含み得る。ｅＮＢは、ユーザ機器（ＵＥ）と通信するエンティティであり、基地局、ノードＢ、アクセスポイント（ＡＰ）などと呼ばれることもある。各ｅＮＢは、特定の地理的エリアに対して通信カバレージを提供し得る。３ＧＰＰでは、「セル」という用語は、この用語が使用されるコンテキストに応じて、ｅＮＢのカバレージエリアおよび／またはこのカバレージエリアにサービスしているｅＮＢサブシステムを指すことがある。
【００２２】
[0033]ｅＮＢは、マクロセル、ピコセル、フェムトセル、および／または他のタイプのセルに対して通信カバレージを提供し得る。マクロセルは、比較的大きい地理的エリア（たとえば、半径数キロメートル）をカバーすることができ、サービスに加入しているＵＥによる無制限のアクセスを許容する場合がある。ピコセルは、比較的小さい地理的エリアをカバーすることができ、サービスに加入しているＵＥによる無制限のアクセスを許容する場合がある。フェムトセルは、比較的小さい地理的エリア（たとえば、住宅）をカバーすることができ、フェムトセルとの関連を有するＵＥ（たとえば、限定加入者グループ（ＣＳＧ：Closed Subscriber Group）中のＵＥ）による制限付きアクセスを許容する場合がある。マクロセル用のｅＮＢは、マクロｅＮＢと呼ばれることがある。ピコセル用のｅＮＢは、ピコｅＮＢと呼ばれることがある。フェムトセル用のｅＮＢは、フェムトｅＮＢまたはホームｅＮＢ（ＨｅＮＢ）と呼ばれることがある。図１に示す例では、ｅＮＢ１１０ａは、マクロセル１０２ａ用のマクロｅＮＢであり得、ｅＮＢ１１０ｂは、ピコセル１０２ｂ用のピコｅＮＢであり得、ｅＮＢ１１０ｃは、フェムトセル１０２ｃ用のフェムトｅＮＢであり得る。ｅＮＢは、１つまたは複数の（たとえば、３つの）セルをサポートし得る。「ｅＮＢ」、「基地局」、および「セル」という用語は、本明細書では互換的に使用され得る。
【００２３】
[0034]ワイヤレスネットワーク１００は、中継局（relay stations）も含み得る。中継局は、上流局（たとえば、ｅＮＢまたはＵＥ）からのデータの送信を受信し、そのデータの送信を下流局（たとえば、ＵＥまたはｅＮＢ）に送信することができるエンティティである。中継局はまた、他のＵＥに対する送信を中継することができるＵＥであり得る。図１に示す例では、中継局１１０ｄは、ｅＮＢ１１０ａとＵＥ１２０ｄとの間の通信を容易にするためにマクロｅＮＢ１１０ａおよびＵＥ１２０ｄと通信し得る。中継局は、中継ｅＮＢ、中継基地局、リレーなどと呼ばれることもある。
【００２４】
[0035]ワイヤレスネットワーク１００は、様々なタイプのｅＮＢ、たとえば、マクロｅＮＢ、ピコｅＮＢ、フェムトｅＮＢ、中継ｅＮＢなどを含む異機種ネットワークであり得る。これらの様々なタイプのｅＮＢは、様々な送信パワーレベル、様々なカバレージエリア、およびワイヤレスネットワーク１００中の干渉に対する様々な影響を有し得る。たとえば、マクロｅＮＢは、高い送信電力レベル（たとえば、５〜４０Ｗ）を有し得るが、ピコｅＮＢ、フェムトｅＮＢ、および中継ｅＮＢは、より低い送信電力レベル（たとえば、０．１〜２Ｗ）を有し得る。
【００２５】
[0036]ネットワークコントローラ１３０は、ｅＮＢのセットに結合し得、これらのｅＮＢの協調および制御を実現し得る。ネットワークコントローラ１３０は、バックホールを介してｅＮＢと通信し得る。ｅＮＢは、たとえば、ワイヤレスバックホールまたはワイヤラインバックホールを介して直接または間接的に互いに通信することもできる。
【００２６】
[0037]ＵＥ１２０（たとえば、１２０ａ、１２０ｂ、１２０ｃ）は、ワイヤレスネットワーク１００全体に拡散される場合があり、各ＵＥは、固定またはモバイルであり得る。ＵＥは、アクセス端末、端末、移動局（ＭＳ）、加入者ユニット、局（ＳＴＡ）などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、スマートフォン、ネットブック、スマートブックなどであり得る。
【００２７】
[0038]図２は、図１の基地局／ｅＮＢの１つであり得る基地局／ｅＮＢ１１０と、図１のＵＥの１つであり得るＵＥ１２０との設計のブロック図である。基地局１１０はＴ個のアンテナ２３４ａ〜２３４ｔを装備し得、ＵＥ１２０はＲ個のアンテナ２５２ａ〜２５２ｒを装備し得、一般にＴ≧１およびＲ≧１である。
【００２８】
[0039]基地局１１０において、送信プロセッサ２２０は、１つまたは複数のＵＥに関してデータソース２１２からデータを受信し、ＵＥから受信されたチャネル品質インジケータ（ＣＱＩ：channel quality indicator）に基づいて各ＵＥのために１つまたは複数の変調およびコーディング方式（ＭＣＳ：modulation and coding scheme）を選択し、そのＵＥのために選択されたＭＣＳに基づいて各ＵＥのためにデータを処理（たとえば、符号化および変調）し、すべてのＵＥに対するデータシンボルを提供し得る。送信プロセッサ２２０は、（たとえば、準静的リソース区分情報（ＳＲＰＩ：semi-static resource partitioning information）などのための）システム情報および制御情報（たとえば、ＣＱＩ要求、許可（grants）、上位レイヤシグナリングなど）を処理し、オーバーヘッドシンボルおよび制御シンボルを提供することもできる。プロセッサ２２０は、基準信号（たとえば、共通基準信号（ＣＲＳ：common reference signal））および同期信号（たとえば、１次同期信号（ＰＳＳ：primary synchronization signal）および２次同期信号（ＳＳＳ：secondary synchronization signal））のための基準シンボルを生成することもできる。送信（ＴＸ）複数入力複数出力（ＭＩＭＯ）プロセッサ２３０は、適用可能な場合、データシンボル、制御シンボル、オーバーヘッドシンボル、および／または基準シンボルに対して空間処理（たとえば、プリコーディング）を実行し得、Ｔ個の出力シンボルストリームをＴ個の変調器（ＭＯＤ）２３２ａ〜２３２ｔに提供し得る。各変調器２３２は、出力サンプルストリームを取得するために、（たとえば、ＯＦＤＭなどのための）それぞれの出力シンボルストリームを処理し得る。各変調器２３２はさらに、ダウンリンク信号を取得するために、出力サンプルストリームを処理（たとえば、アナログに変換、増幅、フィルタ処理、およびアップコンバート）し得る。変調器２３２ａ〜２３２ｔからのＴ個のダウンリンク信号は、それぞれＴ個のアンテナ２３４ａ〜２３４ｔを介して送信され得る。
【００２９】
[0040]ＵＥ１２０において、アンテナ２５２ａ〜２５２ｒが、基地局１１０および／または他の基地局からダウンリンク信号を受信し得、受信信号をそれぞれ復調器（ＤＥＭＯＤ）２５４ａ〜２５４ｒに提供し得る。各復調器２５４は、入力サンプルを取得するために、それの受信信号を調整（たとえば、フィルタ処理、増幅、ダウンコンバート、およびデジタル化）し得る。各復調器２５４はさらに、受信シンボルを取得するために、（たとえば、ＯＦＤＭなどのための）入力サンプルを処理し得る。ＭＩＭＯ検出器２５６は、すべてのＲ個の復調器２５４ａ〜２５４ｒから受信シンボルを取得し、適用可能な場合、受信シンボルに対してＭＩＭＯ検出を実行し、検出されたシンボルを提供し得る。受信プロセッサ２５８は、検出されたシンボルを処理（たとえば、復調および復号）し、ＵＥ１２０のための復号されたデータをデータシンク２６０に提供し、復号された制御情報およびシステム情報をコントローラ／プロセッサ２８０に提供し得る。チャネルプロセッサが、基準信号受信電力（ＲＳＲＰ： reference signal received power）、受信信号強度インジケータ（ＲＳＳＩ：received signal strength indicator）、基準信号受信品質（ＲＳＲＱ：reference signal received quality）、ＣＱＩなどを決定し得る。
【００３０】
[0041]アップリンク上では、ＵＥ１２０において、送信プロセッサ２６４は、データソース２６２からのデータと、コントローラ／プロセッサ２８０からの（たとえば、ＲＳＲＰ、ＲＳＳＩ、ＲＳＲＱ、ＣＱＩなどを備えるレポートのための）制御情報とを受信し、処理し得る。プロセッサ２６４は、１つまたは複数の基準信号のための基準シンボルを生成することもできる。送信プロセッサ２６４からのシンボルは、適用可能な場合、ＴＸ  ＭＩＭＯプロセッサ２６６によってプリコーディングされ、（たとえば、ＳＣ−ＦＤＭ、ＯＦＤＭなどのための）変調器２５４ａ〜２５４ｒによってさらに処理され、基地局１１０に送信され得る。基地局１１０において、ＵＥ１２０および他のＵＥからのアップリンク信号は、アンテナ２３４によって受信され、復調器２３２によって処理され、適用可能な場合、ＭＩＭＯ検出器２３６によって検出され、ＵＥ１２０によって送信された、復号されたデータおよび制御情報を取得するために受信プロセッサ２３８によってさらに処理され得る。プロセッサ２３８は、復号されたデータをデータシンク２３９に提供し、復号された制御情報をコントローラ／プロセッサ２４０に提供し得る。基地局１１０は、通信ユニット２４４を含み、通信ユニット２４４を介してネットワークコントローラ１３０に通信し得る。ネットワークコントローラ１３０は、通信ユニット２９４と、コントローラ／プロセッサ２９０と、メモリ２９２とを含み得る。
【００３１】
[0042]コントローラ／プロセッサ２４０および２８０は、それぞれ基地局１１０およびＵＥ１２０における動作を指示し得る。基地局１１０におけるプロセッサ２４０および／もしくは他のプロセッサおよびモジュール、ならびに／または、ＵＥ１２０におけるプロセッサ２８０および／もしくは他のプロセッサおよびモジュールは、本明細書で説明する技法のためのプロセスを実行または指示し得る。メモリ２４２および２８２はそれぞれ、基地局１１０およびＵＥ１２０のためのデータおよびプログラムコードを記憶し得る。スケジューラ２４６は、ダウンリンク上および／またはアップリンク上のデータ送信のためにＵＥをスケジューリングし得る。
【００３２】
[0043]ＵＥ１２０にデータを送信するとき、基地局１１０は、データ割振りサイズ（a data allocation size）に少なくとも部分的に基づいてバンドリングサイズ（a bundling size）を決定し、決定されたバンドリングサイズのバンドルされた連続したリソースブロック中のデータをプリコーディングするように構成され得、ここにおいて、各バンドル中のリソースブロックは、共通プリコーディング行列を用いてプリコーディングされ得る。すなわち、リソースブロック中のＵＥ−ＲＳなどの基準信号（ＲＳ）および／またはデータは、同じプリコーダを使用してプリコーディングされ得る。バンドルされたリソースブロック（ＲＢ）の各ＲＢ中のＵＥ−ＲＳのために使用される電力レベルも同じであり得る。
【００３３】
[0044]ＵＥ１２０は、基地局１１０から送信されたデータを復号するために、相補的処理（complementary processing）を実行するように構成され得る。たとえば、ＵＥ１２０は、連続したＲＢのバンドルにおける基地局から送信された受信データのデータ割振りサイズに基づいてバンドリングサイズを決定することと、ここにおいて、各バンドルにおけるリソースブロック中の少なくとも１つの基準信号が共通プリコーディング行列を用いてプリコーディングさる、決定されたバンドルサイズと基地局から送信された１つまたは複数のＲＳとに基づいて少なくとも１つのプリコーディングされたチャネルを推定することと、推定されたプリコーディングされたチャネルを使用して受信されたバンドルを復号することと、を行うように構成され得る。
【００３４】
[0045]図３は、ＬＴＥにおけるＦＤＤのための例示的なフレーム構造３００を示す。ダウンリンクおよびアップリンクの各々に関する送信タイムラインは、無線フレームのユニットに区分され得る。各無線フレームは、所定の持続時間（たとえば、１０ミリ秒（ｍｓ））を有することができ、０〜９のインデックスを有する１０個のサブフレームに区分され得る。各サブフレームは、２つのスロットを含み得る。したがって、各無線フレームは、０〜１９のインデックスを有する２０個のスロットを含み得る。各スロットは、Ｌ個のシンボル期間、たとえば、ノーマルサイクリックプレフィックスでは７つのシンボル期間（図２に示す）、または拡張サイクリックプレフィックスでは６つのシンボル期間を含み得る。各サブフレーム中の２Ｌ個のシンボル期間は、０〜２Ｌ−１のインデックスを割り当てられ得る。
【００３５】
[0046]ＬＴＥでは、ｅＮＢは、ｅＮＢによってサポートされるセルごとにシステム帯域幅の中心１．０８ＭＨｚにおいてダウンリンク上で１次同期信号（ＰＳＳ：primary synchronization signal）と２次同期信号（ＳＳＳ：secondary synchronization signal）とを送信し得る。図３に示すように、ＰＳＳおよびＳＳＳは、それぞれ、ノーマルサイクリックプレフィックスで各無線フレームのサブフレーム０および５の中のシンボル期間６および５において送信され得る。ＰＳＳおよびＳＳＳは、セル探索および捕捉のためにＵＥによって使用され得る。ｅＮＢは、ｅＮＢによってサポートされるセルごとにシステム帯域幅全体でセル固有の基準信号（ＣＲＳ：cell-specific reference signal）を送信し得る。ＣＲＳは、各サブフレームのいくつかのシンボル期間において送信され得、チャネル推定、チャネル品質測定、および／または他の機能を実行するためにＵＥによって使用され得る。ｅＮＢは、いくつかの無線フレームのスロット１中のシンボル期間０〜３において物理ブロードキャストチャネル（ＰＢＣＨ：physical broadcast channel）を送信することもできる。ＰＢＣＨは、何らかのシステム情報を搬送し得る。ｅＮＢは、いくつかのサブフレームにおいて物理ダウンリンク共有チャネル（ＰＤＳＣＨ：physical downlink shared channel）上でシステム情報ブロック（ＳＩＢ：system information block）などの他のシステム情報を送信し得る。ｅＮＢは、サブフレームの最初のＢ個のシンボル期間において物理ダウンリンク制御チャネル（ＰＤＣＣＨ：physical downlink control channel）上で制御情報／データを送信し得るが、ここで、Ｂは各サブフレームに関して構成可能であり得る。ｅＮＢは、各サブフレームの残りのシンボル期間においてＰＤＳＣＨ上でトラフィックデータおよび／または他のデータを送信し得る。
【００３６】
[0047]ＬＴＥにおけるＰＳＳ、ＳＳＳ、ＣＲＳ、およびＰＢＣＨは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ」と題する３ＧＰＰ  ＴＳ  ３６．２１１に記載されている。
【００３７】
[0048]図４は、ノーマルサイクリックプレフィックスを有するダウンリンクのための２つの例示的なサブフレームフォーマット４１０および４２０を示す。ダウンリンクのための利用可能な時間周波数リソースは、リソースブロックに区分され得る。各リソースブロックは、１つのスロット内に１２個のサブキャリアをカバーすることができ、いくつかのリソース要素を含み得る。各リソース要素は、１つのシンボル期間内に１つのサブキャリアをカバーすることができ、実数値または複素数値であり得る１つの変調シンボルを送るために使用され得る。
【００３８】
[0049]サブフレームフォーマット４１０は、２つのアンテナを備えたｅＮＢのために使用され得る。ＣＲＳは、シンボル周期０、４、７および１１においてアンテナ０および１から送信され得る。基準信号は、送信機および受信機によってアプリオリに知られる信号であり、パイロットと呼ばれることもある。ＣＲＳは、たとえば、セルアイデンティティ（ＩＤ）に基づいて生成された、セルに固有の基準信号である。図４では、ラベルＲａを有する所与のリソース要素に関して、アンテナａからはそのリソース要素上で変調シンボルが送信され得、他のアンテナからはそのリソース要素上で変調シンボルが送信されないことがある。サブフレームフォーマット４２０は、４つのアンテナを備えたｅＮＢのために使用され得る。ＣＲＳは、シンボル周期０、４、７、および１１においてアンテナ０および１から送信され得、シンボル周期１および８においてアンテナ２および３から送信され得る。サブフレームフォーマット４１０とサブフレームフォーマット４２０の両方に関して、ＣＲＳは、セルＩＤに基づいて決定され得る、均等に離間したサブキャリア上で送信され得る。異なるｅＮＢが、それらのＣＲＳを、それらのセルＩＤに応じて、同じかまたは異なるサブキャリア上で送信することができる。サブフレームフォーマット４１０と４２０の両方に関して、ＣＲＳに使用されないリソース要素が、データ（たとえば、トラフィックデータ、制御データ、および／または他のデータ）を送信するために使用され得る。
【００３９】
[0050]ＬＴＥにおけるＦＤＤのダウンリンクおよびアップリンクの各々に、インターレース構造（interlace structure）が使用され得る。たとえば、０からＱ−１のインデックスを有するＱ個のインターレースが定義され得、ここで、Ｑは４、６、８、１０、または何らかの他の値に等しくなり得る。各インターレースは、Ｑ個のフレームだけ離間したサブフレームを含み得る。特に、インターレースｑは、サブフレームｑ、ｑ＋Ｑ、ｑ＋２Ｑなどを含み得るが、ここにおいて、ｑ∈｛０、．．．、Ｑ−１｝である。
【００４０】
[0051]ワイヤレスネットワークは、ダウンリンクおよびアップリンクにおけるデータ送信のためのハイブリッド自動再送信要求（ＨＡＲＱ）をサポートし得る。ＨＡＲＱの場合、送信機（たとえば、ｅＮＢ  １１０）は、パケットが受信機（たとえば、ＵＥ  １２０）によって正確に復号されるまで、または何らかの他の終了条件に遭遇するまで、パケットの１つまたは複数の送信を送り得る。同期ＨＡＲＱの場合、パケットのすべての送信は、単一のインターレースのサブフレームにおいて送られ得る。非同期ＨＡＲＱの場合、パケットの各送信は、任意のサブフレームにおいて送られ得る。
【００４１】
[0052]ＵＥは、複数のｅＮＢのカバレージ内に位置し得る。そのＵＥにサービスするために、これらのｅＮＢのうちの１つが選択され得る。サービス提供ｅＮＢは、受信信号強度、受信信号品質、経路損失などの様々な基準に基づいて選択され得る。受信信号品質は、信号対干渉プラス雑音比（ＳＩＮＲ：signal to interference plus noise ratio）、または基準信号受信品質（ＲＳＲＱ：reference signal received quality）、または何らかの他のメトリックによって定量化され得る。ＵＥは、ＵＥが１つまたは複数の干渉するｅＮＢからの高い干渉を観測し得る支配的干渉シナリオ（a dominant interference scenario）において動作し得る。
【００４２】
ＮＣＴのための例示的なＥＰＢＣＨ
[0053]（たとえば、ロングタームエボリューション（ＬＴＥ：long-term evolution）リリース８／９／１０／１１における）いくつかのシステムによれば、レガシー物理ブロードキャストチャネル（ＰＢＣＨ）が、４０ビットのペイロードサイズで送信される。４０ビットのペイロードは、８ビットのシステムフレーム番号（ＳＦＮ：system frame number）と、３ビットの物理ハイブリッド自動再送要求（ＨＡＲＱ）インジケータチャネル（ＰＨＩＣＨ）情報（ＰＨＩＣＨ領域のサイズおよびＰＨＩＣＨが延長された持続時間のうちにあるかどうかを含む）と、４ビットのシステム帯域幅と、予備の９ビットと、１６ビットの巡回冗長チェック（ＣＲＣ：cyclic redundancy check）とからなる。さらに、ペイロードは、異なるＣＲＣマスクにより、セル固有の基準信号（ＣＲＳ：cell-specific reference signal）アンテナ構成を伝え、３ＣＲＣマスクが、１、２、または４ＣＲＳアンテナポートに関する情報を伝えるために定義される。ＰＢＣＨは、１０ｍｓごとに送信されるが、同じ情報は、４つの連続した送信機会に送信され、その結果、ＰＢＣＨ情報更新に４０ｍｓの周期性（４０ｍｓのＰＢＣＨ送信時間インターバル（ＴＴＩ））を生じる。
【００４３】
[0054]図５は、例示的なＰＢＣＨフォーマット５００を示す。ＰＢＣＨは、（実際のＣＲＳポート構成にかかわらず、４ポートのＣＲＳと仮定すると）ＣＲＳによって潜在的に使用されるリソース要素（ＲＥ）を除き、中央の６リソースブロック（ＲＢ）において、サブフレーム０  ５１２の第２のスロット５１０内の最初の４つのシンボル５０２、５０４、５０６、５０８を使用して送信される。
【００４４】
[0055]いくつかのシステムでは、ニューキャリアタイプ（ＮＣＴ）が定義されることになる（すなわち、ＬＴＥリリース１２における）。ＮＣＴは、ＣＲＳオーバーヘッドを縮小し、たとえば、ＣＲＳは、（レガシーキャリアタイプ（ＬＣＴ）ではすべてのサブフレームで送信されるのに対して）５ｍｓごとに１度だけ送信され、（ＬＣＴでは最大４ＣＲＳポートを使用するのに対して）１ポートのみを使用し得る。ＣＲＳは、復調に使用されないことがあり、むしろ、時間／周波数トラッキング、および場合により基準信号受信電力（ＲＳＲＰ）測定にのみ使用され得る。セカンダリキャリアとしてのキャリアアグリゲーションにおけるＮＣＴのためのＰＢＣＨは、必要であると考えられない。ＰＢＣＨ中の関連情報は、専用シグナリングによりユーザ機器（ＵＥ）にトンネリングされ得るからである。独立型のＮＣＴのためのＰＢＣＨは、それでもなお必要である可能性がある。ＮＣＴのためのＰＢＣＨは、一般に、拡張ＰＢＣＨ（enhanced PBCH）または便宜上、ＥＰＢＣＨと呼ばれることがある。
【００４５】
[0056]レガシーＰＢＣＨと同様に、ＥＰＢＣＨは、中央の６ＲＢで４シンボルを占有し得、レガシーＰＢＣＨと同様の数のＲＥを有し得る。ＥＰＢＣＨペイロードサイズは、ＰＢＣＨペイロードサイズとは異なり、さらなる情報がＥＰＢＣＨで伝えられることを可能にし得る。ＰＢＣＨと同じ変調およびコーディングは、ＥＰＢＣＨに使用され得る（たとえば、四相位相シフトキーイング（ＱＰＳＫ：quadrature phase-shift keying）およびテールバイティング畳み込みコーディング（ＴＢＣＣ：tail-biting convolutional coding））。ＥＰＢＣＨのためのＴＴＩ期間は、レガシーＰＢＣＨと同じ（たとえば、４０ｍｓ）であり得る、または異なる（たとえば、８０ｍｓ）こともある。
【００４６】
例示的なＴＴＩバンドリング
[0057]いくつかのシステム（たとえば、ＬＴＥリリース８／９／１０）では、ＴＴＩ（または、サブフレーム）バンドリングが、ＵＥごとのベース（a per-UE basis）で構成され得る。サブフレームバンドリングは、上位層によって提供されるパラメータ、ｔｔｉＢｕｎｄｌｉｎｇによって構成される。一般的に、ＴＴＩバンドリングは、複数のＴＴＩにわたってアップリンク共有チャネルでＵＥからのデータを基地局に送ることによって行われ、ハンドリングは、他のアップリンク信号／トラフィック（たとえば、アップリンク制御情報）に適用されない。バンドリングサイズは、４ＴＴＩ（サブフレーム）で固定され得る、すなわち、物理アップリンク共有チャネル（ＰＵＳＣＨ：physical uplink shared channel）は、４つの連続したサブフレームで送信される。バンドルされたサブフレームのそれぞれにおいて、同じＨＡＲＱプロセス番号が使用される。リソース割当てサイズは、３リソースブロック（ＲＢ）以下に制限され得る。変調次数（modulation order）は、２（すなわち、四相位相シフトキーイング（ＱＰＳＫ））に設定され得る。各バンドルは、たとえば、単一のグラントおよび単一のＨＡＲＱ肯定応答（ＡＣＫ）が各バンドルに使用されて、シグナリングオーバーヘッドを縮小し得るように、単一のリソースとして扱われ得る。
【００４７】
[0058]ＴＴＩバンドリングは、一般的に、データパケットの上位層セグメンテーションが、低レートトラフィックのせいなどで、不必要なオーバーヘッドを導入する可能性がある状況において使用される。たとえば、ボイスオーバー・インターネットプロトコル（ＶｏＩＰ）パケットが、低いアップリンクのリンクバジェット（a low uplink link budget）のために単一のＴＴＩで送信され得ない場合、ＶｏＩＰパケットが数サブフレームにわたって送信されることを可能にするために、レイヤ２（Ｌ２）セグメンテーションがＶｏＩＰパケットに適用され得る。たとえば、ＶｏＩＰパケットは、４つの連続したＴＴＩで送信される４つの無線リンク制御（ＲＬＣ：radio link control）プロトコルデータユニット（ＰＤＵ：protocol data unit）にセグメント化され得る。十分なカバレージを実現するために、２から３のＨＡＲＱ再送信が標的とされ得る。
【００４８】
[0059]ＶｏＩＰパケットの上位層セグメンテーションの使用は、いくつかの欠点に悩まされる可能性がある。たとえば、各追加セグメントは、１バイトのＲＬＣ、１バイトの媒体アクセス制御（ＭＡＣ）、および３バイトのＬ１巡回冗長チェック（ＣＲＣ）オーバーヘッドを導入する。これは、たとえば、３３バイトのＲＬＣサービスデータユニット（ＳＤＵ）サイズを仮定すると、１５％のオーバーヘッドということになる（amount to）。４セグメントの場合、４５％のさらなるＬ１／Ｌ２オーバーヘッドがある。
【００４９】
[0060]上位層セグメンテーションの別の欠点は、すべてのセグメントのためのＨＡＲＱ送信／再送信が、ＰＤＣＣＨ上でグラントを使用し、かなりのＰＤＣＣＨリソースを消費する可能性があることである。さらに、各ＨＡＲＱ送信または再送信の後には、ＰＨＩＣＨ上のＨＡＲＱフィードバックが続く。１０-3（０．００１）という否定応答−肯定応答（ＮＡＣＫ−ＡＣＫ）誤り率を仮定すると、多数のＨＡＲＱフィードバック信号は、高いパケット損失確率（high packet loss probabilities）につながる。たとえば、１２ＨＡＲＱフィードバック信号が送られる場合、ＨＡＲＱフィードバック誤り率は、約１．２＊１０-2（０．０１２）であり得る。１０-2（０．０１）を超えるパケット損失率は、ＶｏＩＰトラフィックには受容できない可能性がある。
【００５０】
[0061]しかしながら、ＴＴＩバンドルにつき単一のアップリンクグラントおよび単一のＰＨＩＣＨ信号のみを使用することは、上述したシグナリングオーバーヘッドを縮小することになる。
【００５１】
[0062]伝統的なＬＴＥ設計の焦点は、スペクトル効率の向上、ユビキタスカバレージ、および強化されたサービス品質（ＱｏＳ）サポートなどにある。現在のロングタームエボリューション（ＬＴＥ）システムのダウンリンク（ＤＬ）およびアップリンク（ＵＬ）のリンクバジェットは、最新式スマートフォンおよびタブレットなど、ハイエンドデバイスのカバレージのために設計され得る。しかしながら、低コスト低レートのデバイスもサポートすることが望ましいことがある。たとえば、マシンタイプ通信（ＭＴＣ）については、最大帯域幅が縮小され得、単一の受信無線周波数（ＲＦ）チェーンが使用され得、ピークレートが低減され得、送信電力が低減され得、半二重動作が行われ得る。
【００５２】
[0063]低コストに加えて、たとえば、地階で数メートルにあるＭＴＣデバイスなど、低カバレージ環境にあるデバイス（たとえば、ＭＴＣデバイス）のためのカバレージが拡張され得る。いくつかのシナリオにおいて、これらのデバイスは、電源を有することがあるが、他のもの（たとえば、ガスメーター）は、バッテリーで動作することがある。これらのデバイスについてはリンクバジェット要件が増大され得る。たとえば、地階のデバイスをカバーするために、２０ｄＢのカバレージ拡張が望ましいことがある。より大きいリンクバジェットを達成するために、大規模な送信時間インターバル（ＴＴＩ）バンドリングが実行されて（たとえば、データチャネルのために１００倍にバンドリング）、２０ｄＢのリンクバジェット利得を達成することがある。たとえばダウンリンク（ＤＬ）においては、ＴＴＩバンドリングは、物理ブロードキャストチャネル（ＰＢＣＨ）、物理ダウンリンク制御チャネル（ＰＤＣＣＨ）、拡張ＰＤＣＣＨ、物理ハイブリッド自動再送要求（ＨＡＲＱ）インジケータチャネル（ＰＨＩＣＨ）、および物理ダウンリンク共有チャネル（ＰＤＳＣＨ）のために使用され得る。アップリンク（ＵＬ）においては、ＴＴＩバンドリングは、ランダムアクセスチャネル（ＲＡＣＨ）、物理アップリンク制御チャネル（ＰＵＣＣＨ）、および物理アップリンク共有チャネル（ＰＵＳＣＨ）のために使用され得る。
【００５３】
[0064]しかしながら、このような拡大されたバンドリング（extended bundling）は、システム効率および電力消費に影響を与える可能性がある。ＰＢＣＨカバレージ拡張（PBCH coverage enhancement）については、ＰＢＣＨコンテンツが（たとえば、システムフレーム番号（ＳＦＮ）の変更とともに）４０ｍｓごとに更新されるので、長い持続期間にわたるＰＢＣＨコンテンツの反復送信（repeated transmissions）は、不適切である可能性がある。したがって、必要とされるのは、ＭＴＣデバイスなどのいくつかのデバイスにとってよりよいカバレージを有すると同時に、レガシーＵＥまたは非ＭＴＣデバイスなどの他のデバイスの通常動作を維持する、ＰＢＣＨのための新しい設計である。
【００５４】
ＭＴＣのための例示的なＰＢＣＨカバレージ拡張
[0065]本開示の諸態様は、拡張された送信時間インターバル（ＴＴＩ）バンドリング設計のための技法を提供する。基地局が、新しい物理ブロードキャストチャネル（ＰＢＣＨ）のためのリソースを決定し、新しいＰＢＣＨに基づいてユーザ機器（ＵＥ）と通信し得る。たとえば、いくつかの態様により、新しいＰＢＣＨは、マシンタイプ通信（ＭＴＣ）のＰＢＣＨであり得る。追加的に、または代替的に、新しいＰＢＣＨは、非ＭＴＣデバイスによって使用され得る。
【００５５】
[0066]本明細書で使用する、「新しい（new）」ＰＢＣＨという用語は、一般に、本明細書にさらに詳細に記載されているレガシーＰＢＣＨに対して拡大されたカバレージを有するＰＢＣＨを指す。本明細書で使用する、レガシーＰＢＣＨという用語は、一般に、本明細書に記載されている新しいＰＢＣＨに対して、旧バージョンの規格（たとえば、ＬＴＥリリース１０またはそれ以前）に従って送信されるＰＢＣＨを指す。たとえば、レガシーＰＢＣＨが、図３に示すようなＰＢＣＨを含むことがある。図に示すように、レガシーＰＢＣＨは、一般的には、サブフレームにおけるスロット１のシンボル０〜３で、中央の６ＲＢを使用して、送信される。レガシーＰＢＣＨは、一般的には、４０ｍｓまたは８０ｍｓ期間で送信される。対照的に、本明細書にさらに記載するように、新しいＰＢＣＨは、レガシーＰＢＣＨとは異なる特徴または設計を有することができる。
【００５６】
[0067]図６は、本開示のいくつかの態様による、ＭＴＣサブフレーム６０２における、ＭＴＣデバイスとの通信のためのＰＢＣＨ（ＭＴＣ＿ＰＢＣＨ）６０６およびＰＢＣＨ６０４の時分割多重（ＴＤＭ）を示す。いくつかの態様では、ＭＴＣ＿ＰＢＣＨ６０６は、ＭＴＣ通信のために割り振られたサブフレーム（ＭＴＣサブフレーム）６０２で高密度に送信されることがあり、他のサブフレーム（たとえば、通常のサブフレーム（regular subframes））では全く送信されないことがある。いくつかの態様では、ＭＴＣ＿ＰＢＣＨ６０６のための送信周期性は、通常のＰＢＣＨ６０４（regular PBCH）に対するよりもかなり大きいことがある（たとえば、４０ｍｓ）。図６に示すように、ＭＴＣ＿ＰＢＣＨ６０６は、ＰＢＣＨ６０４よりも狭い帯域幅で送信されることがあり、これは一般的には６ＲＢで送信される。たとえば、ＭＴＣ＿ＰＢＣＨ６０６は、１〜２ＲＢの帯域幅で送信されることがある。代替的には、ＭＴＣ＿ＰＢＣＨ６０６は、６ＲＢの帯域幅で、ただし縮小されたＴＴＩで、送信されることがある。
【００５７】
[0068]いくつかの態様では、ＭＴＣ＿ＰＢＣＨ（たとえば、ＭＴＣ＿ＰＢＣＨ６０６）のための送信帯域幅は、連続的な周波数ロケーションにある、またはホッピングを用いることがある。図７Ａは、本開示のいくつかの態様による、レガシーキャリアタイプ（ＬＣＴ）を有するＭＴＣ＿ＰＢＣＨ７０２Ａの周波数分割多重（ＦＤＭ）構造７００Ａを示す。図７Ａに示すように、レガシーキャリアタイプ（ＬＣＴ）については、ＭＴＣ＿ＰＢＣＨ７０２Ａが、いくつかのシンボルを制御のために残し７０４Ａ、サブフレーム全体に満たない間にわたって、１〜２ＲＢで送信され得る。図７Ｂは、本開示のいくつかの態様による、ニューキャリアタイプ（ＮＣＴ）を有するＭＴＣ＿ＰＢＣＨ７０２ＢのＦＤＭ構造７００Ｂを示す。図７Ｂに示すように、ＮＣＴについては、ＭＴＣ＿ＰＢＣＨ７０２Ｂが、サブフレーム全体に広がり（span）、ＥＰＤＣＣＨ７０６ＢおよびＰＤＳＣＨ７０８ＢとともにＦＤＭを使用し得る。
【００５８】
[0069]レガシー制御操作を説明するために、いくつかの態様により、ＭＴＣ＿ＰＢＣＨが、レガシー信号／チャネルの周りでレートマッチングされて（rate matching around）、サブフレーム全体に広がる。いくつかの態様では、ＭＴＣ＿ＰＢＣＨが、サブフレーム全体に広がることができ、レガシー信号（たとえば、１次同期信号（ＰＳＳ）、２次同期信号（ＳＳＳ）、ＰＢＣＨ、セル固有の基準信号（ＣＲＳ）、チャネル状態情報基準信号（ＣＳＩ−ＲＳ）、および測位基準信号（ＰＲＳ））、ならびに／またはチャネル（たとえば、物理ダウンリンク制御チャネル（ＰＤＣＣＨ）、物理制御フォーマットインジケータチャネル（ＰＣＦＩＣＨ）、および物理ＨＡＲＱインジケータチャネル（ＰＨＩＣＨ））によってパンクチャされる（punctured）ことがある。
【００５９】
[0070]いくつかの態様では、図７Ａ〜Ｂに示すように、ＭＴＣ＿ＰＢＣＨは、キャリアタイプに依存する、またはキャリアタイプに依存しない（たとえば、レガシーキャリアタイプまたはニューキャリアタイプ）ことがある。キャリアタイプに依存するＭＴＣ＿ＰＢＣＨについては、ＭＴＣ＿ＰＢＣＨは、ＰＤＣＣＨを除くことによってＬＣＴではシンボル４〜１４、または５〜１４に広がり、すべてのサブフレームでＣＲＳの周りでレートマッチングされ得る。ＮＣＴでは、ＭＴＣ＿ＰＢＣＨは、サブフレーム全体に広がることができ、５サブフレームごとにのみ、ＣＲＳの周りでレートマッチングされ得る。
【００６０】
[0071]キャリアに依存しないＭＴＣ＿ＰＢＣＨについては、ＭＴＣ＿ＰＢＣＨは、キャリアタイプにとらわれず（agnostic）、ただ１つのフォーマットがサポートされる。いくつかの態様では、ＭＴＣ＿ＰＢＣＨは、サブフレーム全体に広がることができ、レガシー信号によってパンクチャされることがある。代替的には、ＭＴＣ＿ＰＢＣＨは、シンボル５〜１４に広がることができ、すべてのサブフレーム上でＣＲＳの周りでレートマッチングされ得る。これは、たとえば、単純なＭＴＣ動作には望ましい可能性がある。別の態様では、ＭＴＣ＿ＰＢＣＨは、シンボル４〜１４に広がることができる。
【００６１】
[0072]別の問題は、ＭＴＣ＿ＰＢＣＨのためのレガシー信号操作を含む。いくつかの態様では、レガシーＰＳＳ／ＳＳＳ／ＰＢＣＨ処理のために、ＭＴＣ＿ＰＢＣＨは、サブフレーム０およびサブフレーム５では送信されないことがある。代替的には、ＭＴＣ＿ＰＢＣＨは、サブフレーム０および５で送信されることがあり、ＰＳＳ／ＳＳＳ／ＰＢＣＨの周りでレートマッチングされる。また、レガシー制御領域は、４シンボルのみを残して除かれ得る。いくつかの態様では、ＭＴＣ＿ＰＢＣＨが、ＰＳＳ／ＳＳＳ／ＰＢＣＨによってパンクチャされることがある。いくつかの態様では、ＭＴＣ＿ＰＢＣＨが、中央の６ＲＢの外側の異なる周波数ロケーションで送信されることがある。いくつかの態様では、ＭＴＣ＿ＰＳＳおよびＭＴＣ＿ＳＳＳが、同じ周波数ロケーションにＭＴＣ＿ＰＢＣＨとともに導入されることがある。
【００６２】
[0073]別の問題は、ＭＴＣ＿ＰＢＣＨのＥＰＤＣＣＨ操作である。いくつかの態様では、ｅＮＢは、ＥＰＤＣＣＨがＭＴＣ＿ＰＢＣＨに割り振られたリソースと衝突しないことを確実にし得る。いくつかの態様では、ＥＰＤＣＣＨは、ＭＴＣにとらわれないものであり得る。言い換えると、ＥＰＤＣＣＨがＭＴＣ＿ＰＢＣＨと衝突する場合、ＥＰＤＣＣＨはＭＴＣ＿ＰＢＣＨをパンクチャし得る。代替的には、ＥＰＤＣＣＨがＭＴＣ＿ＰＢＣＨと衝突する場合、ＭＴＣ＿ＰＢＣＨはＥＰＤＣＣＨの周りでレートマッチングされ得る。
【００６３】
[0074]いくつかの態様によれば、共通サーチスペース（ＣＳＳ：common search space）および／またはＵＥ固有サーチスペース（ＵＳＳ：UE-specific search space）のＥＰＤＣＣＨリソースロケーションは、ＭＴＣ＿ＰＢＣＨを有するサブフレームにおいて、衝突を避けるために、通常のサブフレームとは異なるセットのリソースロケーションが使用され得るようにすることができる。たとえば、ＭＴＣサブフレームでは、リソースのセットは、通常のサブフレームに使用されるセットの（たとえば、ＭＴＣ＿ＰＢＣＨによって）パンクチャされたバージョンであることがある。言い換えると、ＭＴＣサブフレームにおけるリソースのセットは、通常のサブフレームで使用されるセットに基づいて定義されるが、ＭＴＣ＿ＰＢＣＨのＲＥにマップされないことがある。代替的には、ＥＰＤＣＣＨは、ＭＴＣサブフレームにおけるリソースのセットに基づいて定義され得る。
【００６４】
[0075]いくつかの態様によれば、ｅＮＢは、ＰＢＣＨとＭＴＣ＿ＰＢＣＨの両方を送信し得る。いくつかの態様では、非ＭＴＣ  ＵＥはＰＢＣＨのみを監視し得る。ＭＴＣ＿ＰＢＣＨは、他のユーザへのスケジュールされたＰＤＳＣＨと同様である。いくつかの態様では、ＭＴＣ  ＵＥが、ＭＴＣ＿ＰＢＣＨのみを監視し、通常のＰＢＣＨを無視し得る。
【００６５】
[0076]いくつかの態様によれば、ＰＢＣＨカバレージ拡張が、他の特徴を使用して達成され得る。たとえば、ＭＴＣ＿ＰＢＣＨは、電力が増大され（power boosted）、他のＤＬ信号に比べてより高いパワースペクトル密度（ＰＳＤ：power spectral density）で送信され得る。図８は、本開示のいくつかの態様による、電力を増大したＭＴＣ＿ＰＢＣＨおよびＰＢＣＨの例示的な時分割多重８００を示す。図８に示すように、ＭＴＣ＿ＰＢＣＨは、図６、７Ａ、および７Ｂについて上述したようにＭＴＣサブフレーム８０２で高密度に、またはＭＴＣサブフレーム８０２で電力を増大して、送信されるが、ＭＴＣサブフレーム８０２の外側では通常の電力で送信され得る。たとえば、図８に示すように、オプション１、バンドルされたＭＴＣ＿ＰＢＣＨ８０４が、中央の６ＲＢで高密度に送信され得、通常のＰＢＣＨ８０６が、送信され得る。代替的には、図８に示すように、オプション２、ＰＢＣＨ８０８が、ＭＴＣサブフレーム８０２内で電力を増大して送信され得る。図８に示すように、オプション３、反復された、電力が増大されたＰＢＣＨ８１０が、同じサブフレーム８０２内で送信され得る。同様に、いくつかの態様では、ＰＳＳ／ＳＳＳが、ＭＴＣサブフレーム８０２では電力が増大されるが、他のすべてのサブフレームでは、通常の電力で送信され得る。
【００６６】
[0077]図９は、本開示のいくつかの態様による、反復ＰＢＣＨ（repeated PBCH）を有する例示的なサブフレーム構造９００を示す。いくつかの態様では、ＰＢＣＨは、電力が増大されることがあり、反復ＰＢＣＨを残りの４シンボルで送信させることがある。図９に示すように、現在のＰＢＣＨは、４シンボルを占有し得る。ＰＳＳ／ＳＳＳおよびレガシー制御領域は、除かれ得る。ＭＴＣカバレージを増やすために、ＰＢＣＨは、図９に示すように、同じサブフレーム９００中の４つの残りのシンボル（たとえば、スロット０のシンボル４、ならびにスロット１のシンボル４、５、および６  ８０４）で反復され得る。いくつかの態様では、反復ＰＢＣＨ９０６およびＰＢＣＨ９０８は、同じペイロードコンテンツを有することがある。代替的には、ＰＢＣＨは、ＭＴＣサブフレームにおいてのみ反復されることがあり、ペイロードは、最初の通常のＰＢＣＨのペイロードコンテンツとは異なることがある。
【００６７】
[0078]いくつかの態様によれば、電力増大（power boosting）が、ＰＳＳ、ＳＳＳ、ＰＢＣＨ、または反復ＰＢＣＨのいずれかに適用され得る。いくつかの態様では、ＰＢＣＨのための電力増大は、反復ＰＢＣＨのための電力増大とは異なることがある（たとえば、ＰＢＣＨおよび反復ＰＢＣＨは異なるＰＳＤで送信されることがある）。
【００６８】
[0079]図１０は、本開示のいくつかの態様による、ワイヤレス通信のための例示的な動作１０００を示す。動作は、たとえば、基地局（たとえば、ｅＮＢ１１０）によって実行され得る。動作１０００は、１００２において、レガシーＰＢＣＨに対して拡張されたカバレージを有する新しい（たとえば、ＭＴＣ）物理ブロードキャストチャネル（ＰＢＣＨ）のためのリソースのセットを決定することから始め得る。
【００６９】
[0080]１００４において、ＢＳは、新しい（たとえば、ＭＴＣ）ＰＢＣＨのための決定されたリソースのセットに基づいて、少なくとも１つのユーザ機器（ＵＥ）に通信し得る。いくつかの態様では、新しいＰＢＣＨは、ＭＴＣデバイスと通信するために割り振られたサブフレーム（ＭＴＣサブフレーム）で送信され得る。
【００７０】
[0081]いくつかの態様では、たとえば、通常のＰＢＣＨのための送信時間に比べてサブフレーム内でのより長い送信時間、およびいくつかの態様では通常のＰＢＣＨ（たとえば６ＲＢ）に比べてより狭い帯域幅（たとえば、１または２ＲＢ）と相まった、ＭＴＣ＿ＰＢＣＨバーストの増大した周期性、の結果として、新しいＰＢＣＨは、通常の（たとえば、レガシー）ＰＢＣＨに比べてより高い密度を有し得る。いくつかの態様では、新しいＰＢＣＨのための帯域幅は、連続した周波数ロケーションであり得る、または周波数ホッピングに基づいたロケーションであり得る。
【００７１】
[0082]いくつかの態様では、新しいＰＢＣＨが、ＭＴＣサブフレーム全体に広がることができる。いくつかの態様では、ＭＴＣ＿ＰＢＣＨの長さは、ＬＣＴとＮＣＴとで異なる。新しいＰＢＣＨは、ＬＣＴではシンボル４〜１４に広がることができ、すべてのサブフレームではＣＲＳの周りでレートマッチングされ得る。代替的には、新しいＰＢＣＨが、ＮＣＴでＭＴＣサブフレーム全体に広がることができ、５サブフレームごとにＣＲＳの周りでレートマッチングされ得る。
【００７２】
[0083]いくつかの態様では、新しいＰＢＣＨが、ＬＣＴおよびＮＣＴに対して同じであり得る。新しいＰＢＣＨは、サブフレーム全体に広がることができ、ＰＳＳ、ＳＳＳ、通常のＰＢＣＨ、ＣＲＳ、チャネル状態情報基準信号（ＣＳＩ−ＲＳ）、または測位基準信号（ＰＲＳ）によってパンクチャされることがある。いくつかの態様では、新しいＰＢＣＨは、シンボル５〜１４に広がることができ、すべてのサブフレーム上でＣＲＳの周りでレートマッチングされ得る。いくつかの態様では、ＭＴＣ＿ＰＢＣＨは、サブフレーム０および５では送信されないことがある。代替的には、新しいＰＢＣＨは、サブフレーム０および５で送信されることがあり、ＰＳＳ、ＳＳＳ、および通常のＰＢＣＨの周りでレートマッチングされ得る。いくつかの態様では、新しいＰＢＣＨは、中央の６ＲＢとは異なる周波数ロケーションで送信され得る。
【００７３】
[0084]いくつかの態様によれば、ＢＳは、ＥＰＤＣＣＨが新しいＰＢＣＨに割り振られたリソースと衝突するかどうかを決定する。いくつかの態様では、ＢＳが、ＥＰＤＣＣＨは新しいＰＢＣＨと衝突すると決定する場合、新しいＰＢＣＨの少なくとも一部のＲＥはパンクチャされ得、新しいＰＢＣＨはＥＰＤＣＣＨの周りでレートマッチングされ得る、またはＥＰＤＣＣＨはＣＳＳおよびＵＳＳリソースロケーションの第１のセットを使用する。いくつかの態様では、ＢＳが、ＥＰＤＣＣＨは新しいＰＢＣＨと衝突しないと決定する場合、ＥＰＤＣＣＨはＣＳＳおよびＵＳＳリソースロケーションの第２のセットを使用する。いくつかの態様では、ＣＳＳリソースロケーションの第１のセットは、第２のセットのパンクチャされたバージョンであり得る。
【００７４】
[0085]いくつかの態様では、ＢＳは、他のＤＬ送信信号に比べてより高いＰＳＤで新しいＰＢＣＨを送信し得る。いくつかの態様では、ＢＳは、ＭＴＣデバイスと通信するために割り振られたサブフレーム上で他のＤＬ送信信号に比べてより高いＰＳＤで通常のＰＢＣＨを送信し得る。いくつかの態様では、ＢＳは、ＭＴＣデバイスと通信するために割り振られたサブフレーム上で他のＤＬ送信信号に比べてより高いＰＳＤでＭＴＣのためのＰＳＳ、ＳＳＳ、および／またはＳＩＢを送信し得る。
【００７５】
[0086]いくつかの態様によれば、通常のＰＢＣＨは、サブフレームで少なくとも１度反復され得る。いくつかの態様では、サブフレーム中の通常のＰＢＣＨ送信および反復ＰＢＣＨ送信は、同じペイロードコンテンツを有する。いくつかの態様では、通常のＰＢＣＨは、ＭＴＣデバイスと通信するために割り振られた各サブフレームで少なくとも１度反復され得る。いくつかの態様では、ＰＳＳ、ＳＳＳ、およびレガシー制御領域シンボルは、除かれることがあり、通常のＰＢＣＨは、４つの残りのシンボルで反復され得る。いくつかの態様では、サブフレームでの反復ＰＢＣＨ送信は、異なるペイロードコンテンツを有することがあり、通常のＰＢＣＨは、レガシーペイロードコンテンツを有する。いくつかの態様では、通常のＰＢＣＨは、サブフレームで異なるＰＳＤで送信される。いくつかの態様では、新しいＰＤＣＨは、通常のＰＢＣＨが送信されるサブフレームで送信されないことがある。
【００７６】
[0087]図１１は、本開示のいくつかの態様による、ワイヤレス通信のための例示的な動作１１００を示す。動作１１００は、たとえば、ＵＥ（たとえば、ＵＥ１２０）によって実行され得る。動作１１００は、１１０２において、レガシーＰＢＣＨに対して拡張されたカバレージを有する新しい（たとえば、ＭＴＣ）物理ブロードキャストチャネル（ＰＢＣＨ）のためのリソースのセットを決定することから始め得る。
【００７７】
[0088]１１０４において、ＵＥは、新しいＰＢＣＨのための決定されたリソースのセットに基づいて、基地局（ＢＳ）からの新しいＰＢＣＨを処理し得る。
【００７８】
[0089]いくつかの態様では、新しいＰＢＣＨは、たとえば、より狭い帯域幅（たとえば、１、２、または６ＲＢ）およびＭＴＣ＿ＰＢＣＨバーストの増大した周期性の結果として、通常のＰＢＣＨに比べてより高い密度を有し得る。いくつかの態様では、帯域幅は、連続した周波数ロケーションであり得る、または周波数ホッピングであり得る。
【００７９】
[0090]いくつかの態様では、新しいＰＢＣＨが、ＭＴＣサブフレーム全体に広がることができる。いくつかの態様では、新しいＰＢＣＨの長さは、ＬＣＴとＮＣＴとで異なる。新しいＰＢＣＨは、ＬＣＴではシンボル４〜１４に広がることができ、すべてのサブフレームではＣＲＳの周りでレートマッチングされ得る。代替的には、新しいＰＢＣＨが、ＮＣＴでＭＴＣサブフレーム全体に広がることができ、５サブフレームごとにＣＲＳの周りでレートマッチングされ得る。
【００８０】
[0091]いくつかの態様では、新しいＰＢＣＨが、ＬＣＴおよびＮＣＴに対して同じであり得る。新しいＰＢＣＨは、サブフレーム全体に広がることができ、ＰＳＳ、ＳＳＳ、通常のＰＢＣＨ、ＣＲＳ、チャネル状態情報基準信号（ＣＳＩ−ＲＳ）、または測位基準信号（ＰＲＳ）によってパンクチャされることがある。いくつかの態様では、新しいＰＢＣＨは、シンボル５〜１４に広がることができ、すべてのサブフレーム上でＣＲＳの周りでレートマッチングされ得る。いくつかの態様では、新しいＰＢＣＨは、サブフレーム０および５では受信されないことがある。代替的には、新しいＰＢＣＨは、サブフレーム０および５で受信されることがあり、ＰＳＳ、ＳＳＳ、および通常のＰＢＣＨの周りでレートマッチングされ得る。いくつかの態様では、新しいＰＢＣＨは、中央の６ＲＢとは異なる周波数ロケーションで受信され得る。
【００８１】
[0092]いくつかの態様によれば、ＵＥは、ＥＰＤＣＣＨが新しいＰＢＣＨに割り振られたリソースと衝突するかどうかを決定する。いくつかの態様では、ＵＥが、ＥＰＤＣＣＨは新しいＰＢＣＨと衝突すると決定する場合、新しいＰＢＣＨの少なくとも一部のＲＥはパンクチャされ得、新しいＰＢＣＨはＥＰＤＣＣＨの周りでレートマッチングされ得る、またはＥＰＤＣＣＨはＣＳＳおよびＵＳＳリソースロケーションの第１のセットを使用する。いくつかの態様では、ＵＥが、ＥＰＤＣＣＨは新しいＰＢＣＨと衝突しないと決定する場合、ＥＰＤＣＣＨはＣＳＳおよびＵＳＳリソースロケーションの第２のセットを使用する。いくつかの態様では、ＣＳＳリソースロケーションの第１のセットは、第２のセットのパンクチャされたバージョンであり得る。
【００８２】
[0093]いくつかの態様では、ＵＥは、他のＤＬ送信信号に比べてより高いＰＳＤで新しいＰＢＣＨを送信することがある。いくつかの態様では、ＵＥは、ＭＴＣデバイスと通信するために割り振られたサブフレーム上で他のＤＬ送信信号に比べてより高いＰＳＤで通常のＰＢＣＨを送信することがある。いくつかの態様では、ＵＥは、ＭＴＣデバイスと通信するために割り振られたサブフレーム上で他のＤＬ送信信号に比べてより高いＰＳＤでＭＴＣのためのＰＳＳ、ＳＳＳ、および／またはＳＩＢを送信することがある。
【００８３】
[0094]いくつかの態様によれば、上述の技法は、非マシンタイプ通信のために使用され得る。たとえば、新しいＰＢＣＨが、非ＭＴＣデバイスまたはスマートフォンのために上記の技法を使用して設計され得る。
【００８４】
[0095]いくつかの態様によれば、通常のＰＢＣＨは、サブフレームで少なくとも１度反復され得る。いくつかの態様では、サブフレーム中の通常のＰＢＣＨ送信および反復ＰＢＣＨ送信は、同じペイロードコンテンツを有する。いくつかの態様では、通常のＰＢＣＨは、ＭＴＣデバイスと通信するために割り振られた各サブフレームで少なくとも１度反復され得る。いくつかの態様では、ＰＳＳ、ＳＳＳ、およびレガシー制御領域シンボルは、除かれることがあり、通常のＰＢＣＨは、４つの残りのシンボルで反復され得る。いくつかの態様では、サブフレームでの反復ＰＢＣＨ送信は、異なるペイロードコンテンツを有することがあり、通常のＰＢＣＨは、レガシーペイロードコンテンツを有する。いくつかの態様では、通常のＰＢＣＨは、サブフレームで異なるＰＳＤで送信される。いくつかの態様では、ＭＴＣ＿ＰＤＣＨは、通常のＰＢＣＨが送信されるサブフレームで送信されないことがある。
【００８５】
[0096]上述した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々なハードウェアおよび／またはソフトウェア／ファームウェア構成要素および／またはモジュールを含み得る。概して、図に示されている動作がある場合、それらの動作は、任意の好適な対応するカウンターパートのミーンズプラスファンクション構成要素によって実行され得る。
【００８６】
[0097]開示するプロセスにおけるステップの特定の順序または階層は、例示的な手法の一例であることは理解されよう。設計の選好に基づいて、プロセスにおける諸ステップの特定の順序または階層は、本開示の範囲内にとどまりながら、置き換えられ得ることは理解されよう。添付の方法クレームは、見本の順序で様々なステップの要素を提示しており、提示する特定の順序または階層に限定されることを意図されていない。
【００８７】
[0098]情報および信号は様々な異なる技術および技法のうちのいずれかを使用して表すことができることを、当業者なら理解されよう。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの組合せによって表され得る。
【００８８】
[0099]さらに、本明細書の開示に関連して説明した様々な例示的な論理ブロック、モジュール、回路、およびアルゴリズムステップは、電子ハードウェア、ソフトウェア／ファームウェア、またはそれらの組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェア／ファームウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【００８９】
[0100]本明細書の開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。また、プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実現され得る。
【００９０】
[0101]本明細書の開示に関して説明した方法またはアルゴリズムのステップは、直接ハードウェアで実施されるか、プロセッサによって実行されるソフトウェア／ファームウェアモジュールで実施されるか、またはそれらの組合せで実施され得る。ソフトウェア／ファームウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示の記憶媒体は、その記憶媒体からプロセッサが情報を読み取り、その記憶媒体にプロセッサが情報を書き込むことができるようにプロセッサに連結される。代替として、記憶媒体はプロセッサと一体化され得る。プロセッサおよび記憶媒体はＡＳＩＣ内に存在し得る。ＡＳＩＣはユーザ端末中に存在し得る。代替形態では、プロセッサおよび記憶媒体は、ユーザ端末内の個別構成要素として存在し得る。
【００９１】
[0102]１つまたは複数の例示的な設計では、説明した機能は、ハードウェア、ソフトウェア／ファームウェア、またはそれらの組合せで実装され得る。ソフトウェアで実装した場合、機能は、１つもしくは複数の命令もしくはコードとしてコンピュータ可読媒体上に記憶されるか、またはコンピュータ可読媒体を介して送信され得る。コンピュータ可読媒体は、コンピュータ記憶媒体と、ある場所から別の場所へのコンピュータプログラムの転送を容易にする任意の媒体を含む通信媒体の両方を含む。記憶媒体は、汎用コンピュータまたは専用コンピュータによってアクセスされ得る任意の利用可能な媒体とし得る。限定ではなく例として、そのようなコンピュータ可読媒体は、ＲＡＭ、ＲＯＭ、ＥＥＰＲＯＭ、ＣＤ  ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体が、非一時的なコンピュータ可読媒体（たとえば、有形媒体）を含み得る。さらに、他の態様では、コンピュータ可読媒体が、一時的なコンピュータ可読媒体（たとえば、信号）を含み得る。上記の組合せもコンピュータ可読媒体の範囲内に含まれるべきである。
【００９２】
[0103]本明細書で使用する、項目のリスト「のうちの少なくとも１つ」を指すフレーズは、単一のメンバを含む、それらの項目の任意の組合せを指す。一例として、「ａ、ｂ、またはｃのうちの少なくとも１つ」は、ａと、ｂと、ｃと、ａ−ｂと、ａ−ｃと、ｂ−ｃと、ａ−ｂ−ｃとを包含するものとする。
【００９３】
[0104]本開示についての以上の説明は、いかなる当業者も本開示を作成または使用することができるようにするために提供される。本開示への種々の修正は当業者には容易に明らかとなり、本明細書で規定された一般原理は、本開示の趣旨または範囲から逸脱することなく他の変形形態に適用され得る。したがって、本開示は、本明細書で説明する例および設計に限定されるものではなく、本明細書で開示する原理および新規の特徴に合致する最も広い範囲を与えられるべきである。
なお、本願の出願当初の請求項と同一の記載を以下に付記する。
［Ｃ１］ ワイヤレス通信のための方法であって、
レガシー物理ブロードキャストチャネル（ＰＢＣＨ）に対して拡張されたカバレージを有する新しいＰＢＣＨのためのリソースのセットを決定することと、
前記新しいＰＢＣＨのための前記決定されたリソースのセットに基づいて、少なくとも１つのユーザ機器（ＵＥ）に通信することと
を備える、方法。
［Ｃ２］ 前記新しいＰＢＣＨは、ＭＴＣデバイスと通信するために割り振られたサブフレーム（ＭＴＣサブフレーム）で送信される、Ｃ１に記載の方法。
［Ｃ３］ 前記新しいＰＢＣＨは、サブフレーム０およびサブフレーム５で送信されない、Ｃ２に記載の方法。
［Ｃ４］ 前記新しいＰＢＣＨは、サブフレーム０およびサブフレーム５で送信され、１次同期信号（ＰＳＳ）、２次同期信号（ＳＳ）、およびレガシーＰＢＣＨの周りでレートマッチングされる、Ｃ２に記載の方法。
［Ｃ５］ 前記新しいＰＢＣＨは、１次同期信号（ＰＳＳ）、２次同期信号（ＳＳ）、およびレガシーＰＢＣＨによってパンクチャされる、Ｃ２に記載の方法。
［Ｃ６］ 前記新しいＰＢＣＨは、中央の６リソースブロック（ＲＳ）とは異なる周波数ロケーションで送信される、Ｃ２に記載の方法。
［Ｃ７］ 前記ＭＴＣサブフレームで他のダウンリンク送信信号に比べてより高いパワースペクトル密度（ＰＳＤ）でＭＴＣのための１次同期信号（ＰＳＳ）、２次同期信号（ＳＳＳ）、およびシステム情報ブロック（ＳＩＢ）のうちの少なくとも１つを送信すること
をさらに備える、Ｃ２に記載の方法。
［Ｃ８］ 拡張された物理ダウンリンク制御チャネル（ＥＰＤＣＣＨ）が、前記新しいＰＢＣＨに割り振られたリソースと衝突するかどうかを決定すること
をさらに備える、Ｃ２に記載の方法。
［Ｃ９］ ＥＰＤＣＣＨが前記新しいＰＢＣＨと衝突する場合、前記新しいＰＢＣＨの少なくとも一部のリソース要素（ＲＥ）はパンクチャされ、新しいＰＢＣＨはＥＰＤＣＣＨの周りでレートマッチングされ、またはＥＰＤＣＣＨは共通サーチスペース（ＣＳＳ）リソースロケーションの第１のセットおよびＵＥ固有サーチスペース（ＵＳＳ）リソースロケーションの第１のセットのうちの少なくとも１つを使用し、
ＥＰＤＣＣＨが前記新しいＰＢＣＨと衝突しない場合、ＥＰＤＣＣＨはＣＳＳリソースロケーションの第２のセットおよびＵＳＳリソースロケーションの第２のセットのうちの少なくとも１つを使用する、
Ｃ８に記載の方法。
［Ｃ１０］ ＣＳＳリソースロケーションの前記第１のセットは、ＣＳＳリソースロケーションの前記第２のセットのパンクチャされたバージョンを備える、Ｃ９に記載の方法。
［Ｃ１１］ サブフレームで前記新しいＰＢＣＨを、前記サブフレーム中の他のダウンリンク送信信号のためのパワースペクトル密度（ＰＳＤ）に比べてより高いＰＳＤで送信することをさらに備える、Ｃ１に記載の方法。
［Ｃ１２］ 前記決定されたリソースのセットは、レガシーＰＢＣＨの密度に比べてより高い密度を有する新しいＰＢＣＨをもたらす、Ｃ１に記載の方法。
［Ｃ１３］ 前記新しいＰＢＣＨの前記より高い密度は、レガシーＰＢＣＨのためのサブフレーム内の送信時間に比べて前記新しいＰＢＣＨのためのサブフレーム内のより長い送信時間、またはレガシーＰＢＣＨの周期性に比べて前記新しいＰＢＣＨのより大きい周期性、のうちの少なくとも１つの結果である、Ｃ１２に記載の方法。
［Ｃ１４］ 前記新しいＰＢＣＨのための帯域幅は、６リソースブロック（ＲＳ）未満である、Ｃ１３に記載の方法。
［Ｃ１５］ 前記新しいＰＢＣＨは、１つまたは複数の反復されたレガシーＰＢＣＨを備える、Ｃ１３に記載の方法。
［Ｃ１６］ 前記新しいＰＢＣＨのための前記帯域幅は、連続した周波数ロケーションにある、Ｃ１４に記載の方法。
［Ｃ１７］ 前記新しいＰＢＣＨのための前記帯域幅は、周波数ホッピングされる、Ｃ１４に記載の方法。
［Ｃ１８］ 前記新しいＰＢＣＨの長さは、レガシーキャリアタイプ（ＬＣＴ）とニューキャリアタイプ（ＮＣＴ）とでは異なる、Ｃ１に記載の方法。
［Ｃ１９］ ＬＴＣでは、前記新しいＰＢＣＨはシンボル４〜１４に広がり、新しいＰＢＣＨ送信を搬送するすべてのサブフレームでセル固有の基準信号（ＣＲＳ）の周りでレートマッチングされ、
ＮＣＴでは、前記新しいＰＢＣＨはサブフレーム全体に広がり、５サブフレームごとにＣＲＳの周りでレートマッチングされる、
Ｃ１８に記載の方法。
［Ｃ２０］ 前記新しいＰＢＣＨは、レガシーキャリアタイプ（ＬＣＴ）およびニューキャリアタイプ（ＮＣＴ）に対して同じである、Ｃ１に記載の方法。
［Ｃ２１］ 前記新しいＰＢＣＨは、サブフレーム全体に広がり、１次同期信号（ＰＳＳ）、２次同期信号（ＳＳＳ）、レガシーＰＢＣＨ、セル固有の基準信号（ＣＲＳ）、チャネル状態情報基準信号（ＣＳＩ−ＲＳ）、および測位基準信号（ＰＲＳ）のうちの少なくとも１つによってパンクチャされる、Ｃ１に記載の方法。
［Ｃ２２］ 前記新しいＰＢＣＨは、シンボル５〜１４に広がり、すべてのサブフレームでセル固有の基準信号（ＣＲＳ）の周りでレートマッチングされる、Ｃ１に記載の方法。
［Ｃ２３］ 前記新しいＰＢＣＨは、シンボル４〜１４に広がる、Ｃ１に記載の方法。
［Ｃ２４］ 前記ＭＴＣサブフレームで少なくとも１度レガシーＰＢＣＨを反復すること
をさらに備える、Ｃ２に記載の方法。
［Ｃ２５］ 前記レガシーＰＢＣＨおよび前記反復されたレガシーＰＢＣＨは、同じペイロードコンテンツを有する、Ｃ２４に記載の方法。
［Ｃ２６］ １次同期シンボル（ＰＳＳ）、２次同期シンボル（ＳＳＳ）、およびレガシー制御領域シンボルが除かれ、前記レガシーＰＢＣＨは４つの残りのシンボルで反復される、Ｃ２４に記載の方法。
［Ｃ２７］ 前記レガシーＰＢＣＨおよび前記反復されたレガシーＰＢＣＨは、異なるペイロードコンテンツを有し、ここにおいて前記レガシーＰＢＣＨはレガシーペイロードコンテンツを有する、Ｃ２４に記載の方法。
［Ｃ２８］ ワイヤレス通信のための装置であって、
レガシー物理ブロードキャストチャネル（ＰＢＣＨ）に対して拡張されたカバレージを有する新しいＰＢＣＨのためのリソースのセットを決定するための手段と、
前記新しいＰＢＣＨのための前記決定されたリソースのセットに基づいて、少なくとも１つのユーザ機器（ＵＥ）に通信するための手段と
を備える、装置。
［Ｃ２９］ ワイヤレス通信のための装置であって、
レガシー物理ブロードキャストチャネル（ＰＢＣＨ）に対して拡張されたカバレージを有する新しいＰＢＣＨのためのリソースのセットを決定し、
前記新しいＰＢＣＨのための前記決定されたリソースのセットに基づいて、少なくとも１つのユーザ機器（ＵＥ）に通信する
ように構成された少なくとも１つのプロセッサと、
前記少なくとも１つのプロセッサに結合されたメモリと
を備える、装置。
［Ｃ３０］ 命令を記憶するコンピュータ可読媒体を備えるワイヤレス通信のためのコンピュータプログラム製品であって、前記命令は、
レガシー物理ブロードキャストチャネル（ＰＢＣＨ）に対して拡張されたカバレージを有する新しいＰＢＣＨのためのリソースのセットを決定し、
前記新しいＰＢＣＨのための前記決定されたリソースのセットに基づいて、少なくとも１つのユーザ機器（ＵＥ）に通信する
ために、１つまたは複数のプロセッサによって実行可能である、
コンピュータプログラム製品。
【図１】
0006279709.tif 000002
【図２】
0006279709.tif 000003
【図３】
0006279709.tif 000004
【図４】
0006279709.tif 000005
【図５】
0006279709.tif 000006
【図６】
0006279709.tif 000007
【図７Ａ】
0006279709.tif 000008
【図７Ｂ】
0006279709.tif 000009
【図８】
0006279709.tif 000010
【図９】
0006279709.tif 000011
【図１０】
0006279709.tif 000012
【図１１】
0006279709.tif 000013